【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
伝熱板と前記伝熱板の間隔を保持するための間隔リブと気流の漏れを遮蔽するための遮蔽リブとを樹脂にて一体成形して単位素子を形成し、この単位素子を複数積層することにより前記伝熱板間に通風路が形成され、一次気流と二次気流を前記通風路に流通することにより、前記伝熱板を介して熱交換するようにした熱交換器において、前記間隔リブまたは前記遮蔽リブの少なくとも何れか、または前記間隔リブまたは前記遮蔽リブの少なくとも何れかに連結する位置に溶融樹脂を注入する注入口を設け、前記間隔リブおよび前記遮蔽リブが何れかで連結しており、注入口は、単位素子を積層した時に隣接する前記単位素子が干渉しないように逃がす手段を備えたことを特徴とする熱交換器。
【請求項２】
逃がす手段として、間隔リブまたは遮蔽リブの少なくとも何れかに段落としを設けたことを特徴とする請求項１記載の熱交換器。
【請求項３】
段落としは、間隔リブまたは遮蔽リブの少なくとも何れかに連結し、通風路内に設けたことを特徴とする請求項２記載の熱交換器。
【請求項４】
段落としは、遮蔽リブに連結し、通風路外に設けたことを特徴とする請求項２記載の熱交換器。
【請求項５】
段落としは、遮蔽リブと間隔リブが交差する位置に設けたことを特徴とする請求項３記載の熱交換器。
【請求項６】
複数の間隔リブは何れかの間隔リブで連結していることを特徴とする請求項５記載の熱交換器。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
本発明の熱交換器は上記目的を達成するために、伝熱板と前記伝熱板の間隔を保持するための間隔リブと気流の漏れを遮蔽するための遮蔽リブとを樹脂にて一体成形して単位素子を形成し、この単位素子を複数積層することにより前記伝熱板間に通風路が形成され、一次気流と二次気流を前記通風路に流通することにより、前記伝熱板を介して熱交換するようにした熱交換器において、前記間隔リブまたは前記遮蔽リブの少なくとも何れか、または前記間隔リブまたは前記遮蔽リブの少なくとも何れかに連結する位置に溶融樹脂を注入する注入口を設け、前記間隔リブおよび前記遮蔽リブが何れかで連結しており、注入口は、単位素子を積層した時に隣接する前記単位素子が干渉しないように逃がす手段を備えたものである。
【手続補正５】
【補正対象書類名】明細書
【補正対象項目名】００１６
【補正方法】変更
【補正の内容】
【００１６】
この手段により部品点数が少なく、加工工程を少なくすることによる量産性を向上することができ、また部品点数が少なく、加工工程を少なくすることによる製造コストを低減することができ、バリによって生じる単位素子間の隙間を無くすことによる気流の漏れを防止することができる熱交換器が得られる。
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】変更
【補正の内容】
【００３５】
本発明の請求項１記載の発明は、伝熱板と前記伝熱板の間隔を保持するための間隔リブと気流の漏れを遮蔽するための遮蔽リブとを樹脂にて一体成形して単位素子を形成し、この単位素子を複数積層することにより前記伝熱板間に通風路が形成され、一次気流と二次気流を前記通風路に流通することにより、前記伝熱板を介して熱交換するようにした熱交換器において、前記間隔リブまたは前記遮蔽リブの少なくとも何れか、または前記間隔リブまたは前記遮蔽リブの少なくとも何れかに連結する位置に溶融樹脂を注入する注入口を設け、前記間隔リブおよび前記遮蔽リブが何れかで連結しており、注入口は、単位素子を積層した時に隣接する前記単位素子が干渉しないように逃がす手段を備えたものであり、単位素子の間隔リブおよび遮蔽リブは何れかで連結し、且つ樹脂で構成されているため、間隔リブまたは遮蔽リブの少なくとも何れか、または間隔リブまたは遮蔽リブの少なくとも何れかに連結する位置の注入口から溶融樹脂を注入することにより、間隔リブおよび遮蔽リブを有する単位素子が一回の樹脂成形で一体に形成でき、量産性を向上することができ、更に金型内に伝熱板を挿入してから射出成形するインサート射出成形を用いると、一回の成形で伝熱板と間隔リブと遮蔽リブが一体成形され、単位素子を形成できることにより加工工程が少なくでき、更に量産性を向上することができ、また、部品点数が少なく、製造コストを低減することができ、注入口は、単位素子を積層した際に隣接する単位素子が干渉しないように逃がす手段を備えているため、溶融樹脂が金型から注入される単位素子の注入口においてバリが万一発生しても、単位素子を積層した際に隣接する単位素子同士は逃がす手段によってバリを逃がすことにより干渉せず、隙間無く単位素子を積層することができ、気流の漏れを防止することができる。
【手続補正８】
【補正対象書類名】明細書
【補正対象項目名】００３６
【補正方法】変更
【補正の内容】
【００３６】
また、本発明の請求項２記載の発明は、逃がす手段として、間隔リブまたは遮蔽リブの少なくとも何れかに段落としを設けたものであり、注入口は、間隔リブまたは遮蔽リブの少なくとも何れかに段落としを設けたことにより、溶融樹脂が金型から注入される単位素子の注入口においてバリが万一発生しても、単位素子を積層した際に隣接する単位素子同士は段落しによってバリを逃がすことにより干渉せず、隙間無く単位素子を積層することができ、気流の漏れを防止することができる。
【手続補正９】
【補正対象書類名】明細書
【補正対象項目名】００３７
【補正方法】変更
【補正の内容】
【００３７】
また、本発明の請求項３記載の発明は、段落としは、間隔リブまたは遮蔽リブの少なくとも何れかに連結し、通風路内に設けたものであり、注入口は、間隔リブまたは遮蔽リブの少なくとも何れかに連結し、通風路内に段落としを設けたことにより、溶融樹脂が金型から注入される単位素子の注入口においてバリが万一発生しても、単位素子を積層した際に隣接する単位素子同士は段落しによってバリを逃がすことにより干渉せず、更に前記バリは通風路内に位置するため、隣接する単位素子との通風路空間によってバリを逃がすことにより更に干渉せず、隙間無く単位素子を積層することができ、気流の漏れを防止することができる。
【手続補正１０】
【補正対象書類名】明細書
【補正対象項目名】００３８
【補正方法】変更
【補正の内容】
【００３８】
また、本発明の請求項４記載の発明は、段落としは、遮蔽リブに連結し、通風路外に設けたものであり、注入口は、遮蔽リブに連結し、通風路外に段落としを設けたことにより、溶融樹脂が金型から注入される単位素子の注入口においてバリが万一発生しても、単位素子を積層した際に隣接する単位素子同士は段落しによってバリを逃がすことにより干渉せず、更に前記バリは通風路外に位置するため、隣接する単位素子との空間を大きくでき、バリを逃がすことにより更に干渉せず、隙間無く単位素子を積層することができ、気流の漏れを防止することができる。
【手続補正１１】
【補正対象書類名】明細書
【補正対象項目名】００３９
【補正方法】変更
【補正の内容】
【００３９】
また、本発明の請求項５記載の発明は、段落としは、遮蔽リブと間隔リブが交差する位置に設けたことにより、注入口は、遮蔽リブと間隔リブが交差する位置に配設されるため、金型内において注入口から注入された溶融樹脂は、単位素子を樹脂で形成する遮蔽リブと間隔リブに同時に流れるため樹脂成形性が良好である。また遮蔽リブと間隔リブが交差する位置は単位素子において樹脂の肉厚（容積）が大きいため、この位置に注入口を設けたことにより、樹脂成形する射出圧力を低くすることができ、樹脂成形機の能力を小さくすることができるため、設備投資を小さくすることができるので、製造コストを低減することができる。
【手続補正１２】
【補正対象書類名】明細書
【補正対象項目名】００４０
【補正方法】変更
【補正の内容】
【００４０】
また、本発明の請求項６記載の発明は、複数の間隔リブは何れかの間隔リブで連結していることにより、金型内において注入口から注入された溶融樹脂は、単位素子を樹脂で形成する遮蔽リブと間隔リブに同時に流れることに加え、間隔リブは何れかで連結しているため、間隔リブに流れ込んできた溶融樹脂は間隔リブ同士が連結している部分から分岐して流れるため樹脂成形性が良好であり、樹脂成形する射出圧力を低くすることができ、樹脂成形機の能力を小さくすることができるため、設備投資を小さくすることができるので、製造コストを低減することができる。